(57)【要約】      （修正有）【課題】バスケット内に被浸漬物が収容された後に、被浸漬物に対する浸漬を行ない、茶を抽出することができるティーメーカーの提供。【解決手段】カップ、バスケット、及び蓋で構成され、カップ内に空間があり、空間の上方に開口があり、別に外周に少なくとも一つの係止部が設けられ、バスケット内に放置エリアがあり、放置エリアの上方に開口が設けられ、放置エリアの底部に複数の貫通孔が設けられ、外周に突起部が接続され、突起部と放置エリア外周の間に上述のカップ上端部分と接合される接合エリアが形成され、突起部の内側壁に上述の係止部を位置決めする位置決め部が設けられる。【選択図】図１
0003107421.tif 000002
【実用新案登録請求の範囲】
【請求項１】
内部に空間を具え、該空間の上方に開口があり、別に外周に少なくとも一つの係止部が設けられたカップと、
内部に放置エリアを具え、該放置エリアの上方に開口が設けられ、該放置エリアの底部に複数の貫通する孔が設けられ、外周に突起部が接続され、該突起部と放置エリア外周の間に上述のカップの上端部分と接合される接合エリアが形成され、該突起部の内側壁に上述の係止部を位置決めする位置決め部が設けられたバスケットと、
が組み合わされてなり、液体を溢出させにくいことを特徴とする、ティーメーカー。
【請求項２】
請求項１記載のティーメーカーにおいて、カップとバスケットが透明或いは非透明のプラスチック材料で形成されたことを特徴とする、ティーメーカー。
【請求項３】
請求項１記載のティーメーカーにおいて、カップの開口内側壁が下向きに漸縮状態を呈することを特徴とする、ティーメーカー。
【請求項４】
請求項１記載のティーメーカーにおいて、放置エリアの底部に排気管が設けられたことを特徴とする、ティーメーカー。
【請求項５】
請求項１記載のティーメーカーにおいて、放置エリアの外周がカップの開口内周と同じ形状とされたことを特徴とする、ティーメーカー。
【請求項６】
請求項５記載のティーメーカーにおいて、放置エリアの外周表面に複数のリブが設けられたことを特徴とする、ティーメーカー。
【請求項７】
内部に空間を具え、該空間の上方に開口があり、別に外周に少なくとも一つの係止部が設けられたカップと、
内部に放置エリアを具え、該放置エリアの上方に開口が設けられ、該放置エリアの底部に複数の貫通する孔が設けられ、外周に突起部が接続され、該突起部と放置エリア外周の間に上述のカップの上端部分と接合される接合エリアが形成され、該突起部の内側壁に上述の係止部を位置決めする位置決め部が設けられたバスケットと、
該バスケットの上に配置される蓋と、
が組み合わされてなり、液体を溢出させにくいことを特徴とする、ティーメーカー。
【請求項８】
請求項７記載のティーメーカーにおいて、蓋が透明或いは非透明のプラスチック材料で形成されたことを特徴とする、ティーメーカー。
【考案の詳細な説明】
【技術分野】
【０００１】
本考案は一種のティーメーカーの構造に関する。
【背景技術】
【０００２】
周知のように、既存のティーメーカーには、カップとして使用できると共に、ティーメーカーとして茶や菊花等の被浸漬物に対して浸漬して成分を抽出するのに使用できるものがある。
【０００３】
一般にこのようなティーメーカーはセラミック、ステンレス或いは硬質プラスチック材料で製造されるが、どのような材料で製造されても、ティーメーカーの構造は、カップ、カップの上に配置されるバスケット、及びバスケットの上に配置される蓋で構成されている。このバスケットの内部には水を通過させる孔が設けられ、バスケット内部に被浸漬物が収容された後、使用者は熱水を注いで該被浸漬物を浸漬させ、被浸漬物を浸漬させた後の水をバスケット底部の孔よりカップ内に流入させ、バスケットとカップを分離させた後にカップ内の水を飲用することができる。
【０００４】
ただし、被浸漬物の浸漬過程で、使用者が注入する熱水がカップとバスケットの接合部分に至る時、水は接合部分より流出しやすくなり、使用者が火傷を負う事がある。或いは再度浸漬させる時、カップ内の空気圧力が外部圧力より小さいために、注入した水がカップ中に流れにくくなったり、或いは水がカップ内に流入する速度が緩慢となる。また、使用者が飲用準備する時、バスケットをカップより分離して卓上に置く時、バスケットと被浸漬物の残余の水分が卓上或いはその他の物品を濡らし、使用に不便な状況を形成する。
【考案の開示】
【考案が解決しようとする課題】
【０００５】
本考案の主要な目的は、上述の従来の技術の欠点を改善した一種のティーメーカーを提供することにあり、それは、被浸漬物に対して浸漬を行なう時、水をティーメーカーの外部に溢れさせず、使用者の火傷を防止でき、使用時にバスケットと蓋が緊密に一体に結合されて、バスケットをカップより分離させる時、被浸漬物の残余の水分がバスケット内に保留され、卓上を濡らす事がなく、使用に便利であるものとする。
【課題を解決するための手段】
【０００６】
請求項１の考案は、内部に空間を具え、該空間の上方に開口があり、別に外周に少なくとも一つの係止部が設けられたカップと、
内部に放置エリアを具え、該放置エリアの上方に開口が設けられ、該放置エリアの底部に複数の貫通する孔が設けられ、外周に突起部が接続され、該突起部と放置エリア外周の間に上述のカップの上端部分と接合される接合エリアが形成され、該突起部の内側壁に上述の係止部を位置決めする位置決め部が設けられたバスケットと、
が組み合わされてなり、液体を溢出させにくいことを特徴とする、ティーメーカーとしている。
請求項２の考案は、請求項１記載のティーメーカーにおいて、カップとバスケットが透明或いは非透明のプラスチック材料で形成されたことを特徴とする、ティーメーカーとしている。
請求項３の考案は、請求項１記載のティーメーカーにおいて、カップの開口内側壁が下向きに漸縮状態を呈することを特徴とする、ティーメーカーとしている。
請求項４の考案は、請求項１記載のティーメーカーにおいて、放置エリアの底部に排気管が設けられたことを特徴とする、ティーメーカーとしている。
請求項５の考案は、請求項１記載のティーメーカーにおいて、放置エリアの外周がカップの開口内周と同じ形状とされたことを特徴とする、ティーメーカーとしている。
請求項６の考案は、請求項５記載のティーメーカーにおいて、放置エリアの外周表面に複数のリブが設けられたことを特徴とする、ティーメーカーとしている。
請求項７の考案は、内部に空間を具え、該空間の上方に開口があり、別に外周に少なくとも一つの係止部が設けられたカップと、
内部に放置エリアを具え、該放置エリアの上方に開口が設けられ、該放置エリアの底部に複数の貫通する孔が設けられ、外周に突起部が接続され、該突起部と放置エリア外周の間に上述のカップの上端部分と接合される接合エリアが形成され、該突起部の内側壁に上述の係止部を位置決めする位置決め部が設けられたバスケットと、
該バスケットの上に配置される蓋と、
が組み合わされてなり、液体を溢出させにくいことを特徴とする、ティーメーカーとしている。
請求項８の考案は、請求項７記載のティーメーカーにおいて、蓋が透明或いは非透明のプラスチック材料で形成されたことを特徴とする、ティーメーカーとしている。
【考案の効果】
【０００７】
本考案は上述の従来の技術の欠点を改善した一種のティーメーカーを提供しており、それは、被浸漬物に対して浸漬を行なう時、水をティーメーカーの外部に溢れさせず、使用者の火傷を防止でき、使用時にバスケットと蓋が緊密に一体に結合されて、バスケットをカップより分離させる時、被浸漬物の残余の水分がバスケット内に保留され、卓上を濡らす事がなく、使用に便利である。
【考案を実施するための最良の形態】
【０００８】
本考案のティーメーカーは、カップ、バスケット、及び蓋で構成され、該カップ内に空間があり、該空間の上方に開口があり、別に外周に少なくとも一つの係止部が設けられ、該バスケット内に放置エリアがあり、該放置エリアの上方に開口が設けられ、該放置エリアの底部に複数の貫通孔が設けられ、外周に突起部が接続され、該突起部と放置エリア外周の間に上述のカップ上端部分と接合される接合エリアが形成され、該突起部の内側壁に上述の係止部を位置決めする位置決め部が設けられ、また蓋は上述のバスケットの上に配置され、該バスケット内に被浸漬物が収容された後に、被浸漬物に対する浸漬を行ない茶を抽出することができる。
【実施例１】
【０００９】
図１、２は本考案の外観立体図及び分解図である。本考案のティーメーカーは、カップ１、該カップ１の上に配置されるバスケット２、及びバスケット２の上に配置される蓋３で構成され、該バスケット２内に被浸漬物（茶葉、ティーバック等）が放置された後、被浸漬物に対する浸漬を行なえる。
【００１０】
上述のカップ１は透明或いは非透明のプラスチック材料で形成され、その内部に空間１１があり、該空間１１の上方に開口１２があり、該開口１２の内側壁１３が下向きの漸縮状態を呈し、またカップ１の外周に少なくとも一つの係止部１４が設けられ、該カップ１の開口１２の外部とバスケット２が接合される時、該係止部１４がバスケット２に組付けられる。
【００１１】
該バスケット２は、透明或いは非透明のプラスチック材料で形成され、その内部に放置エリア２１があり、該放置エリア２１の上方に開口２２が設けられ、該放置エリア２１の底部に液体（図示せず）を濾過する孔２３及び気体或いは液体を排出するための排気管２４が設けられている。また、バスケット２の外周に突起部２５が接続され、該突起部２５と放置エリア２１外周の間に接合エリア２６が形成され、この接合エリア２６はカップ１の上端部分と接合可能である。また前述の突起部２５の内側壁に位置決め部２７が設けられ、この位置決め部２７はバスケット２とカップ１の上端が接合される時、カップ１外周の係止部１４を位置決めする。また、放置エリア２１の外周は上述のカップ１の開口１２内周と同じ形状に形成され、且つその表面に複数のリブ２８が設けられている。
【００１２】
該蓋３は、透明或いは非透明のプラスチック材料で形成され、バスケット２の開口１２上端部分に配置されて、被浸漬物及び水分のバスケット２外部への流出を防止し、或いは外部の異物のバスケット２内への進入を防止する。
【００１３】
以上により新規で、且つ被浸漬物に対する浸漬が行なえるティーメーカーが形成される。
【００１４】
図３、４は本考案の側面断面図及びバスケットとカップの接合表示図である。図示されるように、カップ１の上端部分をバスケット２の接合エリア２６に挿入した後、カップ１を回して、カップ１外周の係止部１４を突起部２５内側壁の位置決め部２７に位置決めし、バスケット２とカップ１を接合する。
【００１５】
カップ１とバスケット２の接合後に、被浸漬物４を放置エリア２１内に入れ、更に熱水を放置エリア２１に注いで被浸漬物４に対する浸漬を行ない、浸漬後の液体を放置エリア２１底部の孔２３より順調にカップ１内部空間１１中に流入させる。このときカップ１の内部空間１１の空気は順調に排気管２４より排出されるため、抽出後の液体はカップ１内部に流入しやすくなる。且つ液体がバスケット２の開口２２部分近くまで注がれる時も（水位がバスケット２とカップ１の接合部分より高くなる）、カップ１内部の液体はバスケット２とカップ１の接合部分より溢れ出ない。
【００１６】
被浸漬物の浸漬が完成した後、バスケット２を回してカップ１と分離させる時、まずバスケット２の開口２２部分まで注がれた液体がすぐにカップ１の開口１２部分まで下がり、この時カップ１内部の液体も溢れ出ず、使用者が使用する上で更に便利とされている。
【００１７】
更に、蓋３が緊密にバスケット２の上端を被覆し、使用者が飲用準備する時、バスケット２とカップ１を分離させた後、該蓋３をバスケット２の敷物とすることができ、被浸漬物とバスケットの残留水分が卓上を濡らすのを防止できる。
【００１８】
以上は本考案の好ましい実施例の説明であって本考案の範囲を限定するものではなく、本考案に基づきなしうる細部の修飾或いは改変は、いずれも本考案の請求範囲に属するものとする。
【図面の簡単な説明】
【００１９】
【図１】本考案の外観立体図である。
【図２】本考案の分解図である。
【図３】本考案の側面断面図である。
【図４】本考案のバスケットとカップの接合表示図である。
【符号の説明】
【００２０】
１  カップ                    １１  空間
１２、２２  開口              １３  内側壁
１４  係止部                  ２  バスケット
２１  放置エリア              ２３  孔
２４  排気管                  ２５  突起部
２６  接合エリア              ２７  位置決め部
２８  リブ                    ３  蓋
４  被浸漬物
【図１】
0003107421.tif 000003
【図２】
0003107421.tif 000004
【図３】
0003107421.tif 000005
【図４】
0003107421.tif 000006